(57)【要約】【課題】  撮像装置の小型化を図りながら、カメラの機能を満たすために用いるセンサ等の部品を配置するスペースを確保することができると共に、そのスペースを適切な位置に確保することができる撮像装置を提供する。【解決手段】  被写体からの光を通すレンズから構成される光学系１２と、光学系１２を通した光を受けて被写体の画像を撮影する撮像素子と、撮像素子からの画像信号を表示する筐体１０ａ背面に配置されたモニタ表示部１６と、撮像素子からの画像信号を表示する筐体１０ａ背面で且つ前記モニタ表示部１６より上側に配置されたファインダ装置１８と、被写体の撮影環境を検出するセンサ２０と、を備え、ファインダ装置１８を光学系１２より上側に配置すると共に、センサ２０をファインダ装置１８後方の筐体１０ａ前面上側に配置した。【選択図】      図４
2005318362.tif 000002
【特許請求の範囲】
【請求項１】
被写体からの光を通すレンズから構成される光学系と、
前記光学系を通した光を受けて被写体の画像を撮影する撮像素子と、
前記撮像素子からの画像信号を表示する筐体背面に配置されたモニタ表示部と、
前記撮像素子からの画像信号を表示する筐体背面で且つ前記モニタ表示部より上側に配置されたファインダ装置と、
被写体の撮影環境を検出するセンサと、を備え、
前記ファインダ装置を前記光学系より上側に配置すると共に、前記センサを該ファインダ装置後方の筐体前面上側に配置したことを特徴とする撮像装置。
【請求項２】
前記ファインダ装置後方の前記センサを配置する部分が筐体前面より被写体に向って突出して形成された突出部を有する請求項１に記載の撮像装置。
【請求項３】
筐体上部の左右方向略中央位置に配置した閃光部を備え、
前記ファインダ装置を前記閃光部と隣合う位置に配置すると共に、前記センサを該閃光部と隣り合う位置に配置した請求項１または２に記載の撮像装置。
【請求項４】
前記ファインダ装置後方の筐体内に筐体前面と略平行に配置した基板を備え、
前記基板に前記センサを配置した請求項１ないし３のいずれかに記載の撮像装置。
【請求項５】
音声を収集するマイクを備え、
前記マイクを前記ファインダ装置後方の筐体前面上側且つ前記センサと隣り合う位置に配置した請求項１ないし４のいずれかに記載の撮像装置。
【発明の詳細な説明】
【技術分野】
【０００１】
本発明は、撮像装置に関し、特に、撮影する被写体の画像を視認するのに用いるファインダ装置を有する、例えばデジタルカメラのような撮像装置に関するものである。
【背景技術】
【０００２】
このようなファインダ装置を有する従来の撮像装置としては、例えば、下記の特許文献１に記載されたようなものがある。この従来の撮像装置は、ペンタプリズムの背面上部に設けられている第１の機能を有するセンサとは別に、ペンタプリズムの屋根の斜面に第２の機能を有するセンサを設けることにより、ペンタプリズム上面側カバーの高さが高くなるのを抑制し、カメラが大型化するのを防止したものである。
【特許文献１】特開２００３−０８４３３７号公報
【０００３】
また、他の従来の撮像装置としては、音声情報を取得するための音声入力用マイクを備えた電子カメラにおいて、マイクをカメラ筐体の内部に配置しながら、撮影レンズの移動鏡枠の移動などに伴う駆動音等の機械的な騒音や雑音がマイクから入力するのを低減して、良質な音声情報を記録するようにすることにより、マイクがカメラ筐体の外側に大きく突出する位置に配置されてカメラが大型化したり、マイクがカメラ操作の妨げになることを防止しようとするものがある。
【０００４】
また、他の従来の撮像装置としては、液晶ファインダを用いたものであって、撮像装置自体の厚みを略液晶ファインダ装置全長と等しく設定し、撮像装置の光学レンズより上側、且つ撮像装置の左側にこの液晶ファインダ装置を配置し、更に撮像装置の上側且つ中央前方にフラッシュの閃光部を配置し、この閃光部より撮像装置後方の至近であって、且つ液晶ファインダと隣り合う位置にマイクを配置したものがある。
【発明の開示】
【発明が解決しようとする課題】
【０００５】
しかしながら、このように最近のデジタルカメラにあっては、撮像素子の小型化が進んだこともあってカメラ全体のサイズの小型化が促進されているが、その反面、カメラの機能は逆に増えてきている。このため、そのような機能を満たすために用いるセンサ、或はマイク等の部品をカメラに配置するスペースを確保することが困難になってきている。
【０００６】
そしてさらに、これらのセンサ等の部品を配置する位置が適切でないと、その機能を満たすことができないことが多い。例えば撮影者がカメラを構えたときに、その撮影者の指が無意識に調光センサの窓の上に載ってしまうと、調光センサの窓を覆い隠してカメラが調光の機能を果たすことができなくなってしまう。また、上記例のように、閃光部より撮像装置後方の至近にマイクを配置した場合には、閃光部の閃光時のノイズや、急速充電に伴うノイズをマイクで拾ってしまう等の問題もある。
【０００７】
そこで本発明は、撮像装置の小型化を図りながら、カメラの機能を満たすために用いるセンサ等の部品を配置するスペースを確保することができると共に、そのスペースを適切な位置に確保することができる撮像装置を提供することを課題とするものである。
【課題を解決するための手段】
【０００８】
上記課題を解決するために、本発明による撮像装置は、
被写体からの光を通すレンズから構成される光学系と、
前記光学系を通した光を受けて被写体の画像を撮影する撮像素子と、
前記撮像素子からの画像信号を表示する筐体背面に配置されたモニタ表示部と、
前記撮像素子からの画像信号を表示する筐体背面で且つ前記モニタ表示部より上側に配置されたファインダ装置と、
被写体の撮影環境を検出するセンサと、を備え、
前記ファインダ装置を前記光学系より上側に配置すると共に、前記センサを該ファインダ装置後方の筐体前面上側に配置した構成としたものである。
【発明の効果】
【０００９】
このような撮像装置によれば、その小型化を図りながら、カメラの機能を満たすために用いるセンサ等の部品を配置するスペースを確保することができると共に、そのスペースを適切な位置に確保することができる。
【発明を実施するための最良の形態】
【００１０】
以下、本発明の実施の形態について、図面に基づいて具体的に説明する。
図１ないし図５は、本発明に係る撮像装置の一実施の形態について説明するために参照する図であり、本実施の形態に係るデジタルカメラ１０を示したものである。
【００１１】
同図において、デジタルカメラ１０の前面側には、被写体からの光を通すレンズから構成される光学系１２が設けられており、デジタルカメラ１０の筐体１０ａの上側の左右方向中央部には、フラッシュ装置１４（閃光部）が設けられている。
【００１２】
デジタルカメラ１０の筐体１０ａ内には、光学系１２を通した光を受けて被写体の画像を撮影する撮像素子（図示せず）が設けられており、筐体１０ａの背面側には、上記撮像素子からの画像信号に対応する画像を表示するのに用いられる、ＬＣＤ（液晶ディスプレイ）により構成されたモニタ表示部１６が設けられている。
【００１３】
また、デジタルカメラ１０の筐体１０ａの光学系１２より上側で、かつフラッシュ装置１４と隣合う位置には、被写体の画像を撮影する前に予め視認するのに用いられるファインダ装置１８が設けられている。ファインダ装置１８は、デジタルカメラ１０の背面側に設けられる覗き窓１８ａを有し、この覗き窓１８ａはモニタ表示部１６より上側に配置されている。
【００１４】
またファインダ装置１８は、上記撮像素子からの画像信号に対応する画像を表示するＬＣＤを有し、覗き窓１８ａから覗くとそのＬＣＤに表示された被写体の画像を、撮影する前に予め視認することができるようになっている。このため、モニタ表示部１６に撮像素子からの画像信号に対応する画像を表示させなくとも、被写体の画像を視認することができるようになっている。
【００１５】
図５は、デジタルカメラ１０の筐体１０ａの内側の状態を示す図である。同図に示すフラッシュ装置１４は、それを使わないときは図示するように倒れて下部ケース内に収納されており、それを使うときは、他の図に示すように起き上がって、被写体に閃光を照射することができるようになっている。
【００１６】
ファインダ装置１８の後方側（デジタルカメラ１０の前面側）には、ほぼ筐体前面と平行に配置した基板３２が立設されており、この基板３２の上部には、露光機構を制御する制御回路（図示せず）に検出信号を入力させる調光センサ２０と、撮影する被写体の周囲の音を収録するためのマイク２２が設けられている。
【００１７】
このような状態のデジタルカメラ１０の周囲に筐体１０ａを設けると、図４に示す状態となり、ファインダ装置１８の後方部１８ｂが筐体１０ａの前面１０ｂより被写体に向って突出して形成され（図２参照）、そのファインダ装置１８の後方部１８ｂに、調光センサ２０とマイク２２の先端部が臨いて、それらの機能を発揮することができるようになっている。
【００１８】
このような本発明の一実施の形態によれば、ファインダ装置１８の後方部１８ｂ、すなわちデジタルカメラ１０の前面側の空きスペースに、調光センサ２０とマイク２２を設けたため、デジタルカメラ１０の小型化を図りながら、カメラの機能を満たすために用いる調光センサ２０とマイク２２を配置するスペースを確保することができる。また、フラッシュ装置１４と、マイク２２とを離間させて配置することができるため、フラッシュ動作時等におけるノイズがマイク２２に入力することを防止することができる。
【００１９】
そして、調光センサ２０とマイク２２の位置はファインダ装置１８の後方部１８ｂなので、視線の延長線上には指などの障害物を置かないという人間の心理が働いて、それら調光センサ２０やマイク２２を指で塞ぐ可能性は少ないため、それらを配置するスペースを適切な位置に確保することができる。
【００２０】
また、ファインダ装置１８の後方部１８ｂは筐体１０ａの前面１０ｂより被写体に向って突出して形成されているので、ファインダ装置１８の覗き窓１８ａを覗かないで撮影する場合でも、調光センサ２０やマイク２２の上に指が載りにくくなる。
【００２１】
また、図１，図２から分かる通り、調光センサ２０とマイク２２とは、突出した筐体ケースの僅かに上側に傾斜した面に配置されており、この突出した傾斜面の下側には、操作者から見て、手前に引っ込んだ平坦な面が形成されているので、操作者の指等が誤って、調光センサ２０やマイク２２の上に載ったとしても、指先の感触によって、突出した傾斜面と平坦面との段差や、傾斜面自体の傾斜を容易に知覚でき、指先をどかすことが可能となる。
【００２２】
この場合、調光センサ２０やマイク２２の配置面を傾斜させずに平坦に形成してもよいことはいうまでもなく、この場合であっても面の段差を知覚して指先をどかすことができる。
【００２３】
また、調光センサ２０やマイク２２の配置面と上記の平坦面の表面形状を異ならしめたり、表面加工を異ならしめたりするようにしても同様の作用効果を生じることはいうまでもない。
【００２４】
なお、上記実施の形態においては、ファインダ装置１８の突出した後方部１８ｂ（デジタルカメラ１０の前面部）に調光センサ２０とマイク２２を設けた場合について説明したが、他の実施例として、ファインダ装置１８にその後方（デジタルカメラの前方）に突出しない後方部を設け、その後方部にセンサ等の部品を設けるようにしてもよい。
【図面の簡単な説明】
【００２５】
【図１】本発明の一実施の形態に係るデジタルカメラ１０を示すその正面図である。
【図２】図１におけるデジタルカメラ１０の側面図である。
【図３】図１におけるデジタルカメラ１０の背面図である。
【図４】図１におけるデジタルカメラ１０の斜視図である。
【図５】図１におけるデジタルカメラ１０の筐体１０ａを取り付ける前の状態を示す斜視図である。
【符号の説明】
【００２６】
１０  デジタルカメラ
１０ａ  筐体
１０ｂ  前面
１２  光学系
１４  フラッシュ装置
１６  モニタ表示部
１８  ファインダ装置
１８ａ  覗き窓
１８ｂ  後方部
２０  調光センサ
２２  マイク
【図１】
2005318362.tif 000003
【図２】
2005318362.tif 000004
【図３】
2005318362.tif 000005
【図４】
2005318362.tif 000006
【図５】
2005318362.tif 000007